(57)【特許請求の範囲】
【請求項１】
スイッチと、スイッチを保持する保持孔が形成された保持枠と、保持枠の前面に取付けられる化粧プレートとからなり、壁の開口に設置されるスイッチ装置において、
前記化粧プレートは、非導電性を有する材料により形成される保持部材と導電性を有する材料により形成されて人体の接触を検出する検出体とから構成され、保持部材に検出体が表面及び裏面に露出するように隙間なく埋設され、前記スイッチは検出体の裏面に配置され、スイッチの先端が検出体に接触していることを特徴とするスイッチ装置。
【請求項２】
スイッチと、スイッチを保持する保持部を備えた化粧プレートとからなり、壁の開口に設置されるスイッチ装置において、
前記化粧プレートは、非導電性を有する材料により形成される保持部材と導電性を有する材料により形成されて人体の接触を検出する検出体とから構成され、保持部材に検出体が表面及び裏面に露出するように隙間なく埋設され、前記スイッチは検出体の裏面に配置され、スイッチの先端が検出体に接触していることを特徴とするスイッチ装置。
【請求項３】
前記検出体は作動させる機器の形状、位置等の属性を表示する請求項１又は請求項２に記載のスイッチ装置。
【請求項４】
前記検出体を導電性樹脂により、前記保持部材を非導電性樹脂により形成し、化粧プレートを二色成形法により成形した請求項１又は請求項２に記載のスイッチ装置。
【発明の詳細な説明】
【０００１】
【発明の属する技術分野】
この発明は、建築物の壁に取付けられたスイッチ装置に関するものである。
【０００２】
【従来の技術】
電子機器工場、精密機器工場、病院等では塵等の混入を防止するために、クリーンルームが設置されている。それに伴ない、クリーンルームの壁に配置されるスイッチ装置には、その隙間からの塵等の流入を防止するための構成が設けられている。例えば、特開平９−２９４３１９号公報に開示される構成のものが知られている。
【０００３】
図７に示すように、壁４０に形成された開口部４１には、スイッチ４２を有する保持部材４４が配置されている。保持部材４４は開口部４１を閉塞する鍔部４５を有している。
【０００４】
化粧プレート４７には、スイッチ４２を壁表側に表出させる透孔４８が形成されている。そして、化粧プレート４７と保持部材４４との間にはシール部材４９が介在されている。
【０００５】
【発明が解決しようとする課題】
ところが、シール部材４９のみでは、保持部材４４に形成された透孔４８とスイッチ４２との間の隙間を閉塞することができず、その隙間からの空気の流通を遮断することができなかった。そのため、クリーンルームに多量の塵等が侵入したり、室内における冷暖房効果の低減を招いたり、スイッチ４２への塵等の堆積によりトラッキング現象を引き起こし、火災発生の原因になったりするという問題があった。
【０００６】
この発明は、このような従来技術に存在する問題に着目してなされたものである。その目的とするところは、建築物の壁の開口に設置されたスイッチ装置を通る空気の流通を遮断するようにしたスイッチ装置を提供することにある。
【０００７】
【課題を解決するための手段及び発明の効果】
上記の目的を達成するために、請求項１に記載のスイッチ装置は、スイッチと、スイッチを保持する保持孔が形成された保持枠と、保持枠の前面に取付けられる化粧プレートとからなり、壁の開口に設置されるスイッチ装置において、前記化粧プレートは、非導電性を有する材料により形成される保持部材と導電性を有する材料により形成されて人体の接触を検出する検出体とから構成され、保持部材に検出体が表面及び裏面に露出するように隙間なく埋設され、前記スイッチは検出体の裏面に配置され、スイッチの先端が検出体に接触しているものである。
【０００８】
請求項２に記載のスイッチ装置は、スイッチと、スイッチを保持する保持部を備えた化粧プレートとからなり、壁の開口に設置されるスイッチ装置において、前記化粧プレートは、非導電性を有する材料により形成される保持部材と導電性を有する材料により形成されて人体の接触を検出する検出体とから構成され、保持部材に検出体が表面及び裏面に露出するように隙間なく埋設され、前記スイッチは検出体の裏面に配置され、スイッチの先端が検出体に接触しているものである。
【０００９】
従って、請求項１，２に記載の発明によれば、化粧プレートによりスイッチ装置を通る空気の流通を遮断することができる。そのため、室内に対する塵等の侵入を防止することができるとともに、室内の冷暖房効果を向上させることができる。さらに、塵等がスイッチ装置内に侵入してスイッチとケーブルの接続部に堆積し、トラッキング現象による火災が発生するのを防止することができる。また、検出体への人体の接触により、スイッチに接続された機器を確実に作動させることができる。
請求項３に記載のスイッチ装置は、請求項１又は請求項２に記載の発明において、前記検出体は作動させる機器の形状、位置等の属性を表示するものである。
【００１０】
従って、スイッチ装置の視覚効果を向上させることができるとともに、検出体に文字等により作動させる機器を表示した場合と比較して、その確認を容易に行うことができる。
請求項４に記載のスイッチ装置は、請求項１又は請求項２に記載の発明において、前記検出体を導電性樹脂により、前記保持部材を非導電性樹脂により形成し、化粧プレートを二色成形法により成形したものである。
【００２５】
【発明の実施の形態】
以下、この発明の実施形態について詳細に説明する。
( 第１実施形態）
図１及び図２に示すように、開口１１は、建築物の壁１２に形成されている。配線ボックス１３は合成樹脂等により四角箱状に形成され、壁１２の裏側に配置される。ケーブル引き出し孔１４は破線に示すように、配線ボックス１３の上壁に形成されている。一対の取付部１５は配線ボックス１３の開口部の対向する端縁に突出形成され、第１取付孔１６はそれらの中央にそれぞれ形成されている。管１７はコネクタ１８を介して前記ケーブル引き出し孔１４に取付けられている。
【００２６】
保持枠１９は合成樹脂等によりほぼ四角板状に形成され、その中央に保持孔２０が形成されている。一対の第２取付孔２１は保持枠１９の上部及び下部に形成され、一対のねじ孔２２は前記一対の第２取付孔２１より保持孔２０側にそれぞれ形成されている。そして、第２取付孔２１から配線ボックス１３の第１取付孔１６にネジ２３を挿通してナット２３ｂに螺合することにより、保持枠１９及び配線ボックス１３が壁１２の内外にそれぞれ取り付けられている。
【００２７】
スイッチ２４は前記保持孔２０に保持され、電極２５はスイッチ２４の先端から突出している。ケーブル２６はコネクタ１８とスイッチ２４との間に介在されている。スイッチ２４は増幅回路を内装している。
【００２８】
保持部材２７は非導電性樹脂等の非導電性材料により形成され、実施形態ではアクリロニトリル−ブタジエン−スチレン樹脂（ＡＢＳ）を使用した。一対の透孔２８は保持部材２７の上部及び下部に形成され、パッキン２９は保持部材２７の外周端面に接合されている。
【００２９】
四角形状の検出体３０は前記保持部材２７に隙間なく埋設している。また、検出体３０は金属材料、導電性樹脂、カーボン又は金属繊維を樹脂に混入したもの等により形成され、その表面及び裏面が保持部材２７から露出している。保持部材２７と検出体３０とにより化粧プレート３１が構成されている。
【００３０】
そして、透孔２８から前記ねじ孔２２にネジ２３をねじ込んで、化粧プレート３１が壁１２に取り付けられている。このとき、前記スイッチ２４の電極２５は検出体３０の裏面に接触している。また、化粧プレート３１は開口１１を閉塞し、パッキン２９により壁１２と化粧プレート３１の間の隙間をシールしている。
【００３１】
スイッチ２４は静電容量式センサよりなる。スイッチ２４の電極２５は検出体３０の裏面に接触している。このとき、検出体３０と大地の間には微弱な静電容量が存在している。そして、検出体３０に人体が接触することにより、前記静電容量が変化し、その変化が増幅回路より増幅される。その結果、スイッチ２４に接続された機器を作動させる。以上のような構成によりスイッチ装置３６が構成されている。
【００３２】
第１実施形態によれば、次のような効果が発揮される。
・第１実施形態によれば、壁１２の開口１１に設置されたスイッチ装置３６の前面に取り付けられた化粧プレート３１は、検出体３０を保持部材２７に隙間なく埋設して形成されている。そのため、検出体３０の周囲と保持部材２７との間に隙間が形成されない。また、保持部材２７と壁１２との間にはパッキン２９が設けられ、保持部材２７と壁１２との間においても隙間が形成されない。
【００３３】
その結果、化粧プレート３１からスイッチ装置３６内への空気の流通を遮断することができる。従って、室内に対する塵等の侵入を防止することができるとともに、室内の冷暖房効果を向上させることができる。さらに、塵等がスイッチ装置３６内に侵入してスイッチ２４とケーブル２６の接続部に堆積するのを防止して、トラッキング現象による火災が発生するのを防止することができる。
【００３４】
・第１実施形態によれば、化粧プレート３１の表面に露出した検出体３０により、人体の接触を確実に検出することができ、化粧プレート３１の裏面に露出した検出体３０により、スイッチ２４に人体の接触を伝達して機器を確実に作動させることができる。
【００３５】
・第１実施形態によれば、検出体３０は導線性を有する金属により形成されている。そのため、人体の接触による静電容量の変化を電極２５に確実に伝達することができる。
【００３６】
・第１実施形態によれば、保持部材２７は非導電性材料としてのＡＢＳにより形成されている。そのため、保持部材２７に人体が接触したときの機器の誤作動を防止することができる。また、ＡＢＳは耐衝撃性等の性質を有するため、化粧プレート３１の強度を向上させることができる。さらに、ＡＢＳは安価に手に入るため、化粧プレート３１の製造コストの低減を図ることができる。
【００３７】
・第１実施形態によれば、スイッチ２４が静電容量式センサにより構成されている。そのため、人体の接触による静電容量の変化を直接電気に変換するので、誤作動が少なく、スイッチング精度を向上させることができる。
【００３８】
（第２実施形態）
この第２実施形態では、前記第１実施形態と異なる部分について主に説明する。
【００３９】
図３に示すように、この実施形態においては、スイッチ２４を保持するための保持枠１９が省略されている。化粧プレート３１において、検出体３０の両側に位置する保持部材２７の裏面には、保持部３４が形成されている。スイッチ２４の両側には、前記保持部３４に係合可能な係合突起３３が突出形成されている。そして、スイッチ２４の係合突起３３を保持部材２７の保持部３４に保持させることにより、スイッチ２４を化粧プレート３１に取り付けることができる。このとき、検出体３０の裏面に電極板３２が位置するように、スイッチ２４の先端側には電極板３２が接合されている。
【００４０】
従って、第２実施形態によれば、保持枠１９を省略してスイッチ装置３６の構成を簡易化することができるとともに、製造コストの低減を図ることができる。さらに、検出体３０の裏面には電極板３２が密接しているため、人体の検出体３０への接触により、スイッチ２４に接続された機器を確実に作動させることができる。
【００４１】
（第３実施形態）
第３実施形態において、検出体３０は作動させる機器の形状を表示するように形成されている。例えば、図４に示すように、検出体３０は例えば、男性用トイレを示す男性マークの検出体３０ａ、女性用トイレを示す女性マークの検出体３０ｂ、階段マークの検出体３０ｃ等に形成されている。このとき、男性マークの検出体３０ａは男性用トイレの照明用のスイッチ２４の電極２５に、女性マークの検出体３０ｂは女性用トイレの照明用のスイッチ２４の電極２５に、階段マークの検出体３０ｃは階段の照明用のスイッチ２４の電極２５に接続されている。
【００４２】
従って、第３実施形態によれば、検出体３０に文字等により照明場所を表示した場合と比較して、照明場所を容易に確認することができる。また、スイッチ装置３６の視覚効果を向上させることができる。
【００４３】
（第４実施形態)
第４実施形態において、検出体３０は作動させる機器の位置を表示するように形成されている。例えば、図５（ａ）に示すように、検出体３０は、部屋の間取りを示している。このとき、図５( ｂ) に示すように、各検出体３０の裏面がスイッチ２４の電極２５に接触するように、検出体３０の縁部は屈曲形成されている。
【００４４】
従って、第４実施形態によれば、所望とする部屋の部分の照明の検出体３０を容易に確認することができる。また、スイッチ装置３６の外観の視覚効果を向上させることができるとともに、個人の趣向に対応させることができる。
【００４５】
尚、前記各実施形態を次のように変更して具体化することも可能である。
・図６に示すように、保持部材２７の透孔２８を省略するとともに、化粧プレート３１の裏面に、保持枠１９のねじ孔２２に対応するように爪状の突起３５を形成すること。そして、突起３５を保持枠１９のねじ孔２２に係合して、化粧プレート３１を保持枠１９に取り付けること。
【００４６】
このように構成した場合、化粧プレート３１を取り付けるためのネジ２３を省略することができ、部品点数を少なくすることができるとともに、取付時間を短縮することができる。
【００４７】
・検出体３０の周囲に少なくとも１箇所の凸部又は凹部を形成すること。
このように構成した場合、検出体３０を保持部材２７に埋設したとき、検出体３０の抜け落ちを確実に防止することができる。
【００４８】
・化粧プレート３１を壁１２に取り付けたとき、化粧プレート３１と壁１２との接触部分にシリコン等を塗布してコーキングすること。又は化粧プレート３１を接着剤により壁１２に取り付けること。
【００４９】
このように構成した場合、化粧プレート３１と壁１２との間に隙間が形成されるのを防止して、スイッチ装置３６を通る空気の流通を遮断することができ、スイッチ装置３６内に塵等が侵入してスイッチ２４とケーブル２６の接続部に堆積し、トラッキング現象による火災の発生を防止することができる。
【００５０】
・検出体３０を導電性樹脂により形成し、保持部材２７を非導電性樹脂を使用した場合、化粧プレート３１を二色成形法により成形すること。
・第２実施形態において形成された保持部３４を、第１、第３及び第４実施形態の保持部材２７に形成し、スイッチ２４に保持部３４に係合可能な係合突起３３を形成すること。
【００５１】
さらに、前記実施形態より把握される技術的思想について以下に記載する。
・スイッチの外面に前記保持部に係合可能な係合突起を形成した請求項１〜４のいずれかに記載のスイッチ装置。
【００５２】
このように構成した場合、スイッチ装置の構成を簡易化することができるとともに、製造コストの低減を図ることができる。
・前記検出体と保持部材は射出成形法（インサート成形法）により形成されるものである請求項１〜４のいずれかに記載のスイッチ装置。
【００５３】
このように構成した場合、いかなる形状の検出体も保持部材に隙間なくかつ容易に埋設することができる。
・前記保持部材はアクリロニトリル−ブタジエン−スチレン樹脂により形成される請求項１〜４のいずれかに記載のスイッチ装置。
【００５４】
このように構成した場合、化粧プレートの耐衝撃性等の性質を向上させることができ、また、製造コストの低減を図ることができる。
【図面の簡単な説明】
【図１】  化粧プレート及びスイッチ装置を示す分解斜視図。
【図２】  化粧プレート及びスイッチ装置を示す部分側断面図。
【図３】  第２実施形態のスイッチ装置を示す部分側断面図。
【図４】  第３実施形態の化粧プレートを示す正面図。
【図５】  （ａ）は第４実施形態の化粧プレートを示す正面図、（ｂ）は第４実施形態のスイッチ装置を示す部分平断面図。
【図６】  化粧プレートの別例を示す部分側断面図。
【図７】  従来のスイッチ装置を示す分解斜視図。
【符号の説明】
１１…開口、１２…壁、２４…スイッチ、２５…電極、２７…保持部材、２９…パッキン、３０…検出体、３１…化粧プレート、３２…電極板、３４…保持部、３６…スイッチ装置。
【図１】
0003842436.tif 000002
【図２】
0003842436.tif 000003
【図３】
0003842436.tif 000004
【図４】
0003842436.tif 000005
【図５】
0003842436.tif 000006
【図６】
0003842436.tif 000007
【図７】
0003842436.tif 000008